(57)【要約】【課題】  侵入者によるロック操作部材のアンロック操作がより困難になるようにして、防犯性に優れた内締まり錠を提供する。【解決手段】  ドアの室内側面に取り付け可能なケーシング２と、このケーシング２からドア枠に向かって出退自在となるように同ケーシング２内に設けられたロック部材３と、ユーザーによって操作可能となるようにケーシング２の外部に設けられたロック操作部材４と、この操作部材４に対するユーザーの操作に基づいてロック部材３をロック位置又はアンロック位置に姿勢変更させるためのケーシング内に設けられた連動機構５とを備えている内締まり錠において、常時はロック部材３の出退運動を規制しており、かつ、ユーザーによって解除操作された場合にだけ当該ロック部材３の出退運動を許容するロック保持手段６を設ける。【選択図】      図４
2007107356.tif 000002
【特許請求の範囲】
【請求項１】
ドアの室内側面に取り付け可能なケーシングと、このケーシングからドア枠に向かって出退自在となるように同ケーシング内に設けられたロック部材と、ユーザーによって操作可能となるように前記ケーシングの外部に設けられたロック操作部材と、この操作部材に対するユーザーの操作に基づいて前記ロック部材をロック位置又はアンロック位置に姿勢変更させるための前記ケーシング内に設けられた連動機構とを備えている内締まり錠において、
常時は前記ロック部材の出退運動を規制しており、かつ、ユーザーによって解除操作された場合にだけ当該ロック部材の出退運動を許容するロック保持手段が設けられていることを特徴とする内締まり錠。
【請求項２】
前記ロック保持手段は、前記ロック部材又は前記連動機構の運動を規制する規制位置とその運動を許容する許容位置のいずれかに切り換え自在となるように前記ケーシング内に設けられた保持部材と、この保持部材を常に規制位置に付勢する付勢部材と、この付勢部材に抗して前記保持部材を許容位置に切り換えるための解除操作部材とから構成されている請求項１に記載の内締まり錠。
【請求項３】
前記解除操作部材は、前記ケーシングの正面部分から室内側に突出しかつ室外側に向かって押動操作可能な押しボタンよりなる請求項２に記載の内締まり錠。
【請求項４】
前記ケーシングは上下方向に長い縦長のケース体よりなり、前記ロック操作部材はその縦長のケーシングの上下方向一端部に配置され、前記解除操作部材は同ケーシングの上下方向他端部に配置されている請求項２又は３に記載の内締まり錠。
【請求項５】
前記ロック操作部材は、前記ケーシング内に回動自在に設けられた回動ボス部と、この回動ボス部に対して着脱可能な操作つまみとから構成されている請求項１〜４のいずれかに記載の内締まり錠。
【発明の詳細な説明】
【技術分野】
【０００１】  本発明は、ドアの室内側面に設けられる内締まり錠に関する。
【背景技術】
【０００２】  例えば、住宅の玄関ドアや各部屋の室内ドアの室内側面には、当該ドアを室内側から施錠するための内締まり錠が設けられている。
かかる内締まり錠は、通常、ドアの室内側面に取り付け可能なケーシングと、このケーシングからドア枠に向かって出退自在となるように同ケーシング内に設けられたロック部材と、ユーザーによって操作可能となるようにケーシングの外部に設けられたロック操作部材と、この操作部材に対するユーザーの操作に基づいてロック部材をロック位置又はアンロック位置に姿勢変更させるためのケーシング内に設けられた連動機構と、を備えた構造になっている。
【発明の開示】
【発明が解決しようとする課題】
【０００３】  最近のドアには、デザイン性を高めるためにガラス板を嵌め込んだ構造のものがあり、このようなドアでは、外部の侵入者がガラス板だけを破壊して手が入る程度の開口を形成し、この開口から挿入した手指で室内側のロック操作部材（サムターン）を操作して不正解錠する被害が多発している。
しかし、上記従来の内締まり錠では、室内側からのロック操作部材の操作は誰でも自由に行えるので、上記のようにドアの一部を破壊した侵入者であっても、ドアの開口から挿入した手指でロック操作部材をアンロック操作するだけで、ロック部材を簡単にアンロック位置に戻すことができる。【０００４】  このため、従来の内締まり錠では、ドアの一部を破壊して行う不正解錠に対しては殆ど無力であり、この点で防犯性に乏しいという欠点がある。
そこで、本発明は、侵入者によるロック操作部材のアンロック操作がより困難になるようにして、防犯性に優れた内締まり錠を提供することを目的とする。
【課題を解決するための手段】
【０００５】  上記目的を達成するために、本発明は次の技術的手段を講じた。
すなわち、本発明は、ドアの室内側面に取り付け可能なケーシングと、このケーシングからドア枠に向かって出退自在となるように同ケーシング内に設けられたロック部材と、ユーザーによって操作可能となるように前記ケーシングの外部に設けられたロック操作部材と、この操作部材に対するユーザーの操作に基づいて前記ロック部材をロック位置又はアンロック位置に姿勢変更させるための前記ケーシング内に設けられた連動機構とを備えている内締まり錠において、常時は前記ロック部材の出退運動を規制しており、かつ、ユーザーによって解除操作された場合にだけ当該ロック部材の出退運動を許容するロック保持手段が設けられていることを特徴とする。【０００６】  本発明の内締まり錠によれば、上記ロック保持手段が、ユーザーによって解除操作された場合にだけロック部材の出退運動を許容し、常時はロック部材の出退運動を規制している。このため、例えば、侵入者がドアの一部を破壊して手が入る程度の開口を形成し、この開口から挿入した手指で室内側のロック操作部材をアンロック操作しようとしても、ロック保持手段の存在に気付いてこれを操作しない限り、ロック操作部材によってアンロック操作を行うことができなくなる。従って、侵入者によるロック操作部材のアンロック操作がより困難になり、防犯性を向上することができる。【０００７】  本発明の内締まり錠において、前記ロック保持手段は、より具体的には、前記ロック部材又は連動機構の運動を規制する規制位置とその運動を許容する許容位置のいずれかに切り換え自在となるように前記ケーシング内に設けられた保持部材と、この保持部材を常に規制位置に付勢する付勢部材と、この付勢部材に抗して前記保持部材を許容位置に切り換えるための解除操作部材とから構成することができる。
この場合、前記解除操作部材を、前記ケーシングの正面部分から室内側に突出しかつ室外側に向かって押動操作可能な押しボタンにより構成するようにすれば、ユーザーにとっては当該押しボタンを押しながらロック操作部材を操作すればよいので、ロック部材に対する運動規制の解除が簡便になる。【０００８】  また、本発明の内締まり錠において、前記ケーシングは上下方向に長い縦長のケース体を採用することができ、前記ロック操作部材はその縦長のケーシングの上下方向一端部に配置され、前記解除操作部材は同ケーシングの上下方向他端部に配置されていることが好ましい。
この場合、ロック操作部材と解除操作部材とが上下方向で離れた位置に配置されることになるので、侵入者はドアの一部をかなり広範囲に破壊しないと、ロック操作部材と解除操作部材の双方を室外から操作しうる開口を形成することができない。このように、不正解錠を行うためのドアの破壊範囲が広がることになるので、侵入者が不正侵入を諦める蓋然性が高くなり、この点で防犯性をより向上することができる。【０００９】  また、本発明の内締まり錠において、前記操作部材は、前記ケーシング内に回動自在に設けられた回動ボス部と、この回動ボス部に対して着脱可能な操作つまみとから構成されていることが好ましい。
この場合、ロック部材をロック操作してから操作つまみを外しておくようにすれば、侵入者がドアの一部を破壊して手が入る程度の開口を形成しても、侵入者がその開口から回動ボス部を回動操作するのが極めて困難になるので、この点でも防犯性をより向上することができる。
【発明の効果】
【００１０】  上記の通り、本発明によれば、侵入者によるロック操作部材のアンロック操作がより困難になるので、内締まり錠の防犯性を向上することができる。
【発明を実施するための最良の形態】
【００１１】  以下、図面に基づいて、本発明の実施形態を説明する。
図１〜図４は本発明の一実施形態に係る内締まり錠１を示している。
図１及び図２に示すように、本実施形態の内締まり錠１は、例えば玄関ドア（図示せず）の室内側面に取り付け可能な縦長の金属製のケーシング２と、このケーシング２からドア枠（図示せず）に向かって出退自在となるように同ケーシング２内に設けられたロック部材３と、ユーザーによって操作可能となるようにケーシング２の外部に設けられたロック操作部材４と、を備えている。【００１２】  また、図３及び図４に示すように、本実施形態の内締まり錠１は、上記ロック操作部材４に対するユーザーの操作に基づいてロック部材３をロック位置又はアンロック位置に姿勢変更させるためのケーシング２内に設けられた連動機構５と、常時はロック部材３の出退運動を規制しかつユーザーによって解除操作された場合にだけ当該ロック部材３の出退運動を許容するロック保持手段６と、を備えている。【００１３】  図１及び図２に戻り、上記ケーシング２は、正面視において縦長のほぼ長方形状を呈する中空のケース体よりなり、上下端部の四隅にドア面にネジ止めするためのネジ挿通孔８を備えている。このケーシング２の左右両側面の下部よりには、前記ロック部材３の出退口９が形成されている。
前記ロック部材３は、ケーシング２を左右方向に貫通して直線状に移動するデッドボルト１０と、このデッドボルト１０と連動してケーシング２の側面から出退するように揺動する鎌部材１１とからなる。【００１４】  このうち、デッドボルト１０は、断面Ｌ型の金属製の棒状体よりなり、ケーシング２の各出退口９から交互に出退自在となるように当該各出退口９に挿通されている。すなわち、デッドボルト２の左側端部がケーシング２の左側面から突出するとその右側端部がケーシング２内に収納され、逆に、デッドボルト１０の右側端部がケーシング２の右側面から突出するとその左側端部がケーシング２内に収納されるように、当該デッドボルト１０の直線移動範囲が設定されている。【００１５】  他方、鎌部材１１は、正面視ほぼ逆Ｔ字型の金属製のプレートよりなり、ケーシング２内のほぼ中央部に設けられた揺動軸１２に回動自在に連結されている。この鎌部材１１は、中央部が上記揺動軸１２に連結された上下方向に長い揺動アーム１３と、このアーム１３の下端部から左右両側に突設されたほぼ円弧状の左右一対のフック部１４とから構成され、ケーシング２の各出退口９から左右一対のフック部１４のいずれかが交互に出退自在となるように同ケーシング２に収納されている。
すなわち、左側のフック部１４がケーシング２の左側面から突出すると右側のフック部１４がケーシング２内に収納され、逆に、右側のフック部１４がケーシング２の右側面から突出すると左側のフック部１４がケーシング２内に収納されるように、当該鎌部材１１の揺動範囲が設定されている。【００１６】  揺動アーム１３の下端部には、室外側（図３の右側）に突出する連動ピン１５が設けられ、この連動ピン１５は、デッドボルト１０の中央部に形成された上下方向に長い長孔よりなる連動孔１６に挿通されている。このため、鎌部材１１が揺動軸１２回りに揺動して左右いずれか一方のフック部１４がケーシング２の外部に突出すると、これと連動してデッドボルト１０が同じ向きにケーシング２の外部に突出するようになっている。【００１７】  前記ロック操作部材４は、ケーシング２内に回動自在に設けられた回動ボス部１９と、この回動ボス部１９に対して着脱可能な操作つまみ２０（図１参照）とから構成されている。回動ボス部１９は、ケーシング２の正面壁部に形成した円形孔に回動自在に挿通され、その軸方向中央部に上方に突出する切り換え片２１を有している。
回動ボス部１９の背面側には、断面正方形状の角軸部２２が連結されており、この角軸部２２を板バネ２３で上下方向から挟み込むことにより、当該回動ボス部１９を９０度の回動範囲で位置決めできるようになっている。なお、回動ボス部１９の正面側には、操作つまみ２０を着脱自在に係合させるための着脱孔２４（図２参照）が形成されている。【００１８】  図３及び図４に示すように、前記連動機構５は、ケーシング２の内部に回動自在に収納された縦長の切り換えプレートよりなり、この切り換えプレート５は、ケーシング２の正面壁部の内面から突設した回動軸２５に回動自在に連結されている。切り換えプレート５の下端縁は二股状に切り欠き形成されており、この下端縁の切り欠き凹部に前記回動ボス部１９の切り換え片２１が嵌合されている。また、切り換えプレート５の上端部には駆動ピン２６（図４参照）が突設され、この駆動ピン２６が前記鎌部材１１の上端部に回動自在に連結されている。【００１９】  このため、回動ボス部１９の切り換え片２１が当該ボス部１９の軸心回りに回動されると、切り換えプレート５が回動軸２５回りに回動し、この回動により、鎌部材１１が揺動軸１２回りに揺動するとともに、この揺動により、デッドボルト１０が直線運動するようになっている。
前記ロック保持手段６は、ロック部材３を構成する鎌部材１１の運動を規制する規制位置と、その運動を許容する許容位置のいずれかに切り換え自在となるようにケーシング２内に設けられた保持部材２８と、この保持部材２８を常に規制位置に付勢する付勢部材２９と、この付勢部材２９に抗して保持部材２８を許容位置に切り換えるための解除操作部材３０とから構成されている。【００２０】  このロック保持手段６の構成部材のうち、解除操作部材３０は、ケーシング２の正面壁部の上端部に配置された押しボタンよりなる。この押しボタン３０は、ケーシング２の正面壁部から室内側（図３の左側）に突出しており、室外側（図３の右側）に向かって押動操作可能となるようにケーシング２に形成されたガイド筒内に収納されている。また、当該押しボタン３０は断面円形の中空筒体よりなり、この中空筒状の押しボタン３０の内部に、コイルバネで構成された上記付勢部材２９が収納されている。【００２１】  図４に示すように、保持部材２８は、正面視でほぼ八角形状のプレート材よりなり、このプレート状の保持部材２８の中央部に前記押しボタン３０が貫通状に固定されている。
本実施形態の付勢部材２９は、上記保持部材２８が直結された押しボタン３０を常に室内側（図３の左側）に付勢しており、この状態では、当該保持部材２８の下端縁部が鎌部材１１の上端部と干渉して鎌部材１１の揺動運動が阻止される。
他方、付勢部材２９の付勢力に対抗して押しボタン３０を押動操作すると、その押しボタン３０とともに保持部材２８が室外側（図３の右側）に移動して鎌部材１１と干渉しない位置まで待避し、これによって鎌部材１１の揺動運動が許容される。【００２２】  上記構成に係る内締まり錠１の使用方法を、その作用とともに説明する。
すなわち、本実施形態の内締まり錠１をロック操作するには、まず、ロック保持手段６を構成する押しボタン３０を押動操作して鎌部材１１の揺動が許容された状態とし、この状態で操作つまみ２０を回動操作してロック部材３（デッドボルト１０及び鎌部材１１）をケーシング２から突出させる必要がある。
また、当該内締まり錠１をアンロック操作する場合にも、まず、ロック保持手段６を構成する押しボタン３０を押動操作して鎌部材１１の揺動が許容された状態とし、この状態で操作つまみ２０を回動操作してロック部材３（デッドボルト１０及び鎌部材１１）をケーシング２内に没入させる必要がある。【００２３】  このように、本実施形態の内締まり錠１によれば、ユーザーが押しボタン３０を押動して解除操作された場合にだけロック部材３の出退運動が許容され、常時はロック部材３の出退運動が規制されているため、侵入者がドアの一部を破壊して手が入る程度の開口を形成し、この開口から挿入した手指で室内側の操作つまみ２０をアンロック操作しようとしても、押しボタン３０の存在に気付いてこれを操作しない限り、操作つまみ２０によってアンロック操作を行うことができなくなる。従って、侵入者による操作つまみ２０のアンロック操作がより困難になり、防犯性を向上することができる。【００２４】  もっとも、室内側に居るユーザーにとっては、ケーシング２の正面部分に設けられている押しボタン３０を押しながら操作つまみ２０を回動操作すればよいので、ロック部材３に対する運動規制の解除は簡単に行うことができる。
また、本実施形態の内締まり錠１では、操作つまみ２０を縦長のケーシング２の下端部に配置しかつ押しボタン３０を同ケーシング２の上端部に配置することで、それらを上下方向で離れた位置に配置するようにしたので、侵入者はドアの一部をかなり広範囲に破壊しないと、操作つまみ２０と押しボタン３０の双方を室外から操作しうる開口を形成することができない。このため、不正解錠を行うためのドアの破壊範囲が広がることになるので、侵入者が不正侵入を諦める蓋然性が高くなり、この点でも防犯性がより向上する。【００２５】  本発明は上記実施形態に限定されるものではない。
例えば、上記実施形態では、ロック保持手段６の保持部材２９を鎌部材１１に係合させてロック部材３の出退運動を規制しているが、その保持部材２９を連動機構である切り換えプレート５に係合させるようにしてもよい。
また、ロック保持手段６の構成部材としては、前記押しボタン３０だけでなく、ケーシング２の正面壁部にスライド自在に設けたスイッチ部材を採用することもでき、この場合には付勢部材２９を省略することにしてもよい。【００２６】  更に、ロック部材３は、デッドボルト１０と鎌部材１１の双方を有するものに限定されず、それらのいずれか一方のみを有する構造であってもよい。また、ロック操作部材４を構成する操作つまみ２０は、必ずしも取り外し自在である必要はなく、回動ボス部１９に対して一体に連結されていてもよい。
【図面の簡単な説明】
【００２７】
【図１】  本発明に係る内締まり錠の斜視図である。
【図２】  同内締まり錠の操作つまみを外した状態の正面図である。
【図３】  同内締まり錠の側面断面図である。
【図４】  同内締まり錠を背面側から見た内部構造図である。
【符号の説明】
【００２８】  １      内締まり錠
２      ケーシング
３      ロック部材
４      ロック操作部材
５      連動機構（切り換えプレート）
６      ロック保持手段
１９      回動ボス部
２０      操作つまみ
２８      保持部材
２９      付勢部材
３０      解除操作部材（押しボタン）
【図１】
2007107356.tif 000003
【図２】
2007107356.tif 000004
【図３】
2007107356.tif 000005
【図４】
2007107356.tif 000006